(57)【要約】【課題】  インデックス画像データのプリント出力を効率良く行う。【解決手段】  スキャナ１１で複数の画像データを読み取って画像処理制御部１３のハードディスクに保存し、該画像処理制御部１３において該画像データをサムネイル表示したインデックス画像データを作成する。そして、複数の画像データを記録ドライブ１２に出力して記録媒体に記録する一方、インデックス画像データをデータ保存装置２０に保存して、該インデックス画像データをプリント装置３０でプリント出力する。【選択図】  図１
2006262283.tif 000002
【特許請求の範囲】
【請求項１】
複数の画像データを入力する画像入力手段と、
前記画像データを記録媒体に記録するデータ記録手段と、
前記画像データをサムネイル表示したインデックス画像データを作成する画像処理制御手段と、
前記インデックス画像データを保存するデータ保存手段とを備え、
前記画像処理制御手段は、前記画像データを前記データ記録手段に出力する一方、前記インデックス画像データを前記データ保存手段に出力するように構成されていることを特徴とする写真処理装置。
【請求項２】
複数の画像データを入力する画像入力手段と、
前記画像データを記録媒体に記録するデータ記録手段と、
前記画像データをサムネイル表示したインデックス画像データを作成する画像処理制御手段と、
前記インデックス画像データを保存するデータ保存手段とを含む写真処理装置を備えた写真処理システムであって、
前記インデックス画像データをプリントするプリント手段をさらに備え、
前記画像処理制御手段は、前記画像データを前記データ記録手段に出力する一方、前記インデックス画像データを前記データ保存手段に出力するように構成され、
前記プリント手段は、前記データ保存手段に前記インデックス画像データが保存されているかを判定し、該インデックス画像データが保存されている場合に該インデックス画像データをプリントするように構成されていることを特徴とする写真処理システム。
【請求項３】
複数の画像データを入力し、
前記画像データを記録媒体に記録する一方、該画像データをサムネイル表示したインデックス画像データを作成して該インデックス画像データを保存することを特徴とする写真処理方法。
【発明の詳細な説明】
【技術分野】
【０００１】
本発明は、写真処理装置、写真処理システム及び写真処理方法に関し、特にフィルムスキャナ等で読み込んだ画像データのインデックス画像をプリント出力する技術に関するものである。
【背景技術】
【０００２】
近年、写真店等において、現像済みネガフィルムのコマ画像を読み取ってデジタル画像データに変換することが一般的になっている。具体的には、店頭に持ち込まれたフィルムをフィルムスキャナで読み取ってデジタル画像データに変換し、このデジタル画像データをＣＤ−Ｒ等の記録媒体に記録し、電子アルバムとして顧客に提供するようにしている。
【０００３】
ここで、顧客サービスの一環として、ＣＤ−Ｒにどのような画像が記録されているかをすぐに認識できるように、記録されている画像をサムネイルで一覧表示したインデックス画像をＣＤ−Ｒのレーベル面に印刷したり、ＣＤジャケットとしてプリント出力したりしている（例えば、特許文献１参照）。
【特許文献１】特開２００２−２９１７７号公報
【発明の開示】
【発明が解決しようとする課題】
【０００４】
ところで、前記特許文献１に係る発明では、複数の画像データをスキャナで読み取った後、該複数の画像データを予め用意されたインデックスのテンプレートに貼り付けてインデックス画像データを作成し、ＣＤ−Ｒ書き込み装置により、該複数の画像データとともに該インデックス画像データをＣＤ−Ｒに書き込んで電子アルバムを作成するようにしている。
【０００５】
すなわち、前記インデックス画像データをプリント出力するためには、電子アルバムが完成した後にこの電子アルバムを他のパソコン等のＣＤドライブに挿入し、記録されているインデックス画像データを読み取らなければならなかった。
【０００６】
しかしながら、インデックス画像のプリント出力のためだけに他のパソコン等で電子アルバムを読み込まなければならないのは、オペレータにとって手間のかかる面倒な作業であることから、その効率化が望まれていた。
【０００７】
本発明は、かかる点に鑑みてなされたものであり、その目的とするところは、インデックス画像データのプリント出力を効率良く行うことにある。
【課題を解決するための手段】
【０００８】
前記目的を達成するため、本発明では、画像データをＣＤ−Ｒ等の記録媒体に記録する作業と並行して、インデックス画像データのプリント作業を行うことができるようにした。
【０００９】
すなわち、請求項１の発明は、複数の画像データを入力する画像入力手段と、
前記画像データを記録媒体に記録するデータ記録手段と、
前記画像データをサムネイル表示したインデックス画像データを作成する画像処理制御手段と、
前記インデックス画像データを保存するデータ保存手段とを備え、
前記画像処理制御手段は、前記画像データを前記データ記録手段に出力する一方、前記インデックス画像データを前記データ保存手段に出力するように構成されていることを特徴とする写真処理装置である。
【００１０】
従って、本発明によれば、入力された複数の画像データがデータ記録手段に出力される一方、該複数の画像データをサムネイル表示したインデックス画像データが作成されて該インデックス画像データがデータ保存手段に出力される。
【００１１】
請求項２の発明は、複数の画像データを入力する画像入力手段と、
前記画像データを記録媒体に記録するデータ記録手段と、
前記画像データをサムネイル表示したインデックス画像データを作成する画像処理制御手段と、
前記インデックス画像データを保存するデータ保存手段とを含む写真処理装置を備えた写真処理システムであって、
前記インデックス画像データをプリントするプリント手段をさらに備え、
前記画像処理制御手段は、前記画像データを前記データ記録手段に出力する一方、前記インデックス画像データを前記データ保存手段に出力するように構成され、
前記プリント手段は、前記データ保存手段に前記インデックス画像データが保存されているかを判定し、該インデックス画像データが保存されている場合に該インデックス画像データをプリントするように構成されていることを特徴とする。
【００１２】
従って、本発明によれば、データ保存手段にインデックス画像データが保存されているかが判定され、保存されている場合には、プリント手段により該インデックス画像データがプリントされる。
【００１３】
請求項３の発明は、複数の画像データを入力し、
前記画像データを記録媒体に記録する一方、該画像データをサムネイル表示したインデックス画像データを作成して該インデックス画像データを保存することを特徴とする写真処理方法である。
【００１４】
従って、本発明によれば、入力された複数の画像データが記録媒体に記録される一方、該複数の画像データをサムネイル表示したインデックス画像データが作成されて該インデックス画像データが保存される。
【発明の効果】
【００１５】
以上のように、請求項１に係る発明によれば、入力された複数の画像データを記録手段に出力し、作成されたインデックス画像データをデータ保存手段に出力するようにしたから、該複数の画像データをＣＤ−Ｒ等の記録媒体に記録する作業と並行して該インデックス画像データに対する処理を行うことができ、電子アルバムが完成してから該電子アルバムを他のパソコン等で読み取ってインデックス画像データの作成及びプリントする必要がなくなり、オペレータの作業効率が向上する。
【００１６】
請求項２に係る発明によれば、データ保存手段にインデックス画像データが保存されている場合に、該インデックス画像データをプリント手段でプリント出力するようにしたから、複数の画像データを記録媒体に記録する作業と並行して、該データ保存手段に保存されたインデックス画像データのプリント出力を行うことができ、電子アルバムの完成を待たずにインデックス画像プリントを行うことができる。これにより、顧客から電子アルバム作成の注文を受けてからインデックス画像プリント付きの電子アルバムを提供するまでの待ち時間を短縮することができ、顧客満足度が高まる。
【００１７】
請求項３に係る発明によれば、複数の画像データを記録媒体に記録する作業と、インデックス画像データを保存してその後プリントする作業とを並列的に実行することができて、オペレータの作業効率が向上する。
【発明を実施するための最良の形態】
【００１８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１９】
図１は、本発明の実施形態１に係る写真処理システム１００の構成を示すブロック図である。図１に示すように、この写真処理システム１００は、写真処理装置１０と、ハードディスク等で構成されたデータ保存装置２０と、プリント装置３０とを備えている。
【００２０】
前記写真処理装置１０は、単体スキャナと呼ばれるものであり、写真フィルムをスキャンしてデジタル画像データに変換して取り込むためのスキャナ１１（画像入力手段）と、このスキャナ１１で取り込んだ画像データをＣＤ−Ｒ等の記録媒体に記録する記録ドライブ１２（データ記録手段）と、各種情報処理及び画像処理を行う画像処理制御部１３とを備えている。
【００２１】
なお、前記写真処理装置１０に画像データを入力するための手段として、例えば、デジタルカメラで撮影した画像データが保存されたフラッシュメモリ等の半導体メディアからのデータを読み出す半導体ドライブ１４を備えていてもよい。この半導体ドライブ１４は、コンパクトフラッシュ（登録商標）やスマートメディア（登録商標）やメモリースティック（登録商標）等のフラッシュメモリの種類に対応できるように複数の挿入部を備えていることが好ましい。
【００２２】
前記画像処理制御部１３は、パソコンで構成されており、スキャナ１１で取り込んだ画像データをパソコン内部のハードディスクに一時保存することができる。また、このパソコンに接続されているモニタ１５で画像データを確認したり、各種処理メニューの実行確認を行うことができるようになっている。具体的には、この画像処理制御部１３には画像編集ソフトがインストールされており、この画像編集ソフトによって、画像データのキズやホコリ等の汚れが自動的に又はオペレータの操作により補正でき、さらに、読み取った画像データをサムネイル表示したインデックス画像データを作成することができるようになっている。
【００２３】
なお、本実施形態では、データ保存装置２０を写真処理装置１０の外部に設けるようにしているが、この形態に限定するものではなく、例えば、写真処理装置１０の内部に配置するようにしてもよい。さらに、画像処理制御部１３を構成するパソコン内部のハードディスクにおけるデータ領域の一部を、インデックス画像を保存するための記憶領域として確保することで、この記憶領域をデータ保存装置２０の代わりに使用するようにしても構わない。
【００２４】
前記プリント装置３０は、店頭で受注したオーダーをプリント処理する店頭注文モードと、電気通信回線等を通じて外部から受注したオーダーをプリント処理するネット注文モードとの２種類の処理モードを有しており、ネット注文モード設定時には前記データ保存装置２０に保存されているオーダーを処理するように制御される。
【００２５】
以下、本実施形態に係る写真処理システム１００における画像データの記録及びインデックス画像データ作成の処理手順について、図２に示すフローチャート図に基づいて説明する。
【００２６】
図２に示すように、まず、ステップＳ１０１では、ユーザーが撮影して店頭に持ち込んだ写真フィルムをスキャナ１１で読み取り、続くステップＳ１０２に進む。なお、ユーザーがデジタルカメラ等で写真撮影を行っており、画像データをデジタル形式で記録した半導体メディアが提供された場合には、該半導体メディアを半導体ドライブ１４で読み込んで画像データを取得するものとする。
【００２７】
ステップＳ１０２では、読み取った複数の画像データを画像処理制御部１３内部のハードディスクに一時保存して、続くステップＳ１０３に進む。
【００２８】
ステップＳ１０３では、次に読み取るべき画像データが存在するかを判定する。ステップＳ１０３での判定が「ＹＥＳ」の場合には、ステップＳ１０１に分岐して次の画像データを読み取る。ステップＳ１０３での判定が「ＮＯ」の場合には、続くステップＳ１０４に分岐する。
【００２９】
ステップＳ１０４では、画像処理制御部１３にインストールされている画像編集ソフトを起動し、複数の画像データをサムネイル表示したインデックス画像データを作成して、続くＳ１０５に進む。
【００３０】
ステップＳ１０５では、画像処理制御部１３に保存されている複数の画像データの記録媒体への書き込みを開始するかを判定する。ステップＳ１０５での判定が「ＹＥＳ」の場合には、ステップＳ１０６に分岐して、ステップＳ１０６で、画像処理制御部１３からデータ保存装置２０にインデックス画像データを出力し、続くステップＳ１０７に進む。ステップＳ１０５での判定が「ＮＯ」の場合には、書き込み指示があるまで待機する。
【００３１】
ステップＳ１０７では、画像処理制御部１３から記録ドライブ１２に画像データを出力する。続くステップＳ１０８では、画像データを記録媒体に書き込んで作業を終了する。
【００３２】
次に、インデックス画像データをプリント出力する処理手順について、図３に示すフローチャート図に基づいて説明する。まず、ステップＳ２０１で、プリント装置３０がネット注文モードに設定されているかを判定する。ステップＳ２０１での判定が「ＹＥＳ」の場合には、ステップＳ２０２に分岐する。ステップＳ２０１での判定が「ＮＯ」の場合には、設定が変更されるまで店頭注文モードを実行する。
【００３３】
ステップＳ２０２では、データ保存装置２０に保存されているデータを読み取り、インデックス画像データが保存されているかを判定する。ステップＳ２０２での判定が「ＮＯ」の場合には、データ保存装置２０にインデックス画像データが保存されるまで待機するか、又はデータ保存装置２０に保存されているその他のオーダーによる画像をプリントする。
【００３４】
ステップＳ２０２での判定が「ＹＥＳ」の場合には、ステップＳ２０３に分岐して、ステップＳ２０３で、インデックス画像データをプリントして作業を終了する。
【００３５】
以上のように、本発明の写真処理システムでは、スキャナ１１で読み取った複数の画像データを記録ドライブ１２に出力する一方、画像データをサムネイル表示したインデックス画像データをデータ保存装置２０に出力するようにしているから、記録ドライブ１２で画像データをＣＤ−Ｒ等の記録媒体に記録する作業と、プリント装置３０でインデックス画像データをプリントする作業とを同時並行で行うことができる。すなわち、従来のように、電子アルバムを完成させてから別のパソコン等で該電子アルバムに収録されている画像データを読み込んでインデックス画像データを作成する必要がなくなり、オペレータの作業負担が軽減される。
【００３６】
さらに、顧客から電子アルバム作成の依頼を受けてからインデックス画像プリント付きの電子アルバムを提供するまでの待ち時間を短縮することができ、顧客満足度を高めることができる。
【産業上の利用可能性】
【００３７】
以上説明したように、本発明は、写真処理システム及び写真処理方法に関し、画像データを記録媒体に記録する作業と並行して、インデックス画像データのプリント出力作業を行うことができるという実用性の高い効果が得られることから、きわめて有用で産業上の利用可能性は高い。
【図面の簡単な説明】
【００３８】
【図１】本発明の実施形態に係る写真処理システムの構成を示すブロック図である。
【図２】本実施形態の写真処理システムにおける画像データの記録及びインデックス画像データ作成の処理手順を示すフローチャート図である。
【図３】インデックス画像データをプリント出力する処理手順を示すフローチャート図である。
【符号の説明】
【００３９】
１１    スキャナ（画像入力装置）
１２    記録ドライブ（データ記録手段）
１３    画像処理制御部
２０    データ保存装置
３０    プリント装置
１００    写真処理システム
【図１】
2006262283.tif 000003
【図２】
2006262283.tif 000004
【図３】
2006262283.tif 000005